(57)【要約】【課題】マスタ測定器が通信回線のデータ伝送速度よりも高速で測定データを取り込んでも、測定データを取りこぼすことなく正しい波形表示が行える多チャネル測定システムを提供することにある。【解決手段】通信回線を介して複数の測定器が接続され、これら測定器のいずれか１台をマスタとし他をスレーブとしてこれらマスタおよびスレーブのＡ／Ｄ変換器でデジタル化された全測定データをメモリ制御回路で制御されるマスタのデータメモリに取り込むように構成された多チャネル測定システムにおいて、  前記マスタに、前記通信回線を介して前記スレーブから伝送される測定データを保持するレジスタを設けたことを特徴とするもの。【選択図】                    図１
2012127780.tif 000002
【特許請求の範囲】
【請求項１】
通信回線を介して複数の測定器が接続され、これら測定器のいずれか１台をマスタとし他をスレーブとしてこれらマスタおよびスレーブのＡ／Ｄ変換器でデジタル化された全測定データをメモリ制御回路で制御されるマスタのデータメモリに取り込むように構成された多チャネル測定システムにおいて、
前記マスタに、前記通信回線を介して前記スレーブから伝送される測定データを保持するレジスタを設けたことを特徴とする多チャネル測定システム。
【請求項２】
前記レジスタは、前記メモリ制御回路に接続されていることを特徴とする請求項１に記載の多チャネル測定システム。
【請求項３】
前記メモリ制御回路は、前記レジスタに保持された測定データを前記Ａ／Ｄ変換器のサンプリングのタイミングで取り込むことを特徴とする請求項１または請求項２に記載の多チャネル測定システム。
【請求項４】
前記スレーブから伝送される測定データを保持するレジスタとして、Ａ／Ｄ変換器でデジタル化された測定データを一時的に格納するレジスタを共用することを特徴とする請求項１から３のいずれかに記載の多チャネル測定システム。
【発明の詳細な説明】
【技術分野】
【０００１】
本発明は、多チャネル測定システムに関し、詳しくは、複数の測定器を組み合わせてマスタ／スレーブ形式として構成される多チャネル測定システムにおける測定データの同一時間軸上での表示制御に関する。
【０００２】
多チャネル測定システムの一種に、図３に示すように、ＧＰ−ＩＢやイーサネット（登録商標）などの通信回線１００を介してＰＣ２００と複数の測定器３００が接続されたものがある。ＰＣ２００には、それぞれの測定器３００を制御するための専用のソフトウェアが実装されていて、各測定器３００の測定データを図示しないＰＣ２００の表示部の同一時間軸上に載せて表示できるように、サンプリングタイミング制御や時刻管理を行う。
【０００３】
また、他の多チャネル測定システムとして、図４に示すように、ＧＰ−ＩＢやイーサネットなどの通信回線４００を介して複数の測定器５００が接続されたものも実用化されている。
【０００４】
図４において、これら測定器５００のいずれか１台（たとえば５００1）をマスタとして残り（たとえば５００2〜５００n）をスレーブとし、マスタ測定器５００1に通信回線４００を介して各スレーブ測定器５００2〜５００nの測定データも取り込み、解析表示記録が行われる。
【０００５】
図５は、図４のマスタ測定器５００1の詳細ブロック図である。図５において、マスタ測定器５００1の各部は、バス５１０を介してＣＰＵ５２０に接続されている。複数チャネルの入力部５３０は、チャネルのそれぞれがアンプ５３１とＡ／Ｄ変換器５３２とレジスタ５３３が直列接続されていて、レジスタ５３３はバス５１０に接続されている。
【０００６】
バス５１０には、タイミング信号発生回路５４０、メモリ制御回路５５０、表示制御回路５６０、通信インタフェース５７０なども接続されている。
【０００７】
メモリ制御回路５５０にはデータメモリ５５１が接続され、表示制御回路５６０には表示部５６１が接続されている。
【０００８】
そして、通信インタフェース５７０には、通信回線４００を介して各スレーブ測定器５００2〜５００nの通信インタフェース５７０が接続されている。
【０００９】
これにより、マスタ測定器５００1は、通信回線４００を介して各スレーブ測定器５００2〜５００nの測定データも取り込むことができ、マスタ測定器５００1および各スレーブ測定器５００2〜５００nの測定データを、その表示部５６１の同一時間軸上に載せて表示できる。
【００１０】
特許文献１には、通信回線４０を介して複数の測定器３０1〜３０nが接続された表示・記録システムの技術が記載されている。
【先行技術文献】
【特許文献】
【００１１】
【特許文献１】特開平８−３０５９９０号公報
【発明の概要】
【発明が解決しようとする課題】
【００１２】
しかし、図３に示すＰＣ２００で複数の測定器３００を制御する構成では、それぞれの測定器３００のサンプリング制御や時刻管理が複雑になることから、システムの操作にあたっては測定器３００の操作のみならず、ＰＣ２００の操作についても実装されている専用のソフトウェアについての専門的知識が必要になるという問題がある。
【００１３】
図４に示す通信回線４００を介して複数の測定器５００が接続されたマスタ／スレーブ構成によれば、ＰＣを介在させないことから比較的簡単にシステムを構築でき、システム操作も測定器５００を操作する感覚で対応できる。
【００１４】
ところが、通信回線４００を介するデータ伝送は、常に一定の速度で行われるものではなく、回線負荷の状況などに応じて変化する。この結果、入力部５３０のＡ／Ｄ変換器５３２のサンプリングレートが早くなると、測定データを取り込むマスタ測定器５００1のＣＰＵ５２０によるデータ更新が間に合わなくなって測定データの取りこぼしが発生し、正しい波形表示ができなくなることがある。
【００１５】
本発明は、このような従来の問題点に着目したものであり、その目的は、マスタ測定器が通信回線のデータ伝送速度よりも高速で測定データを取り込んでも、測定データを取りこぼすことなく正しい波形表示が行える多チャネル測定システムを提供することにある。
【課題を解決するための手段】
【００１６】
このような課題を達成する請求項１の発明は、
通信回線を介して複数の測定器が接続され、これら測定器のいずれか１台をマスタとし他をスレーブとしてこれらマスタおよびスレーブのＡ／Ｄ変換器でデジタル化された全測定データをメモリ制御回路で制御されるマスタのデータメモリに取り込むように構成された多チャネル測定システムにおいて、
前記マスタに、前記通信回線を介して前記スレーブから伝送される測定データを保持するレジスタを設けたことを特徴とする。
【００１７】
請求項２の発明は、請求項１に記載の多チャネル測定システムにおいて、
前記レジスタは、前記メモリ制御回路に接続されていることを特徴とする。
【００１８】
請求項３の発明は、請求項１または請求項２に記載の多チャネル測定システムにおいて、
前記メモリ制御回路は、前記レジスタに保持された測定データを前記Ａ／Ｄ変換器のサンプリングのタイミングで取り込むことを特徴とする。
【００１９】
請求項３の発明は、請求項１から３のいずれかに記載の多チャネル測定システムにおいて、
前記スレーブから伝送される測定データを保持するレジスタとして、Ａ／Ｄ変換器でデジタル化された測定データを一時的に格納するレジスタを共用することを特徴とする。
【発明の効果】
【００２０】
これらにより、マスタ測定器が通信回線のデータ伝送速度よりも高速でスレーブ測定器の測定データを取り込んでも、測定データを取りこぼすことはなく、正しい波形表示が行える。
【図面の簡単な説明】
【００２１】
【図１】本発明の一実施例を示すブロック図である。
【図２】本発明の他の実施例を示すブロック図である。
【図３】従来の多チャネル測定システムの一例を示すブロック図である。
【図４】従来の他の多チャネル測定システムのブロック図である。
【図５】図４のマスタ測定器５００1の詳細ブロック図である。
【発明を実施するための最良の形態】
【００２２】
以下、本発明について、図面を用いて説明する。図１は本発明の一実施例を示すブロック図であり、図５と共通する部分には同一の符号を付けている。図１と図５の相違点は、図１において、通信回線４００を介してスレーブ測定器５００2〜５００nから伝送される測定データを保持するレジスタ５８０が追加されていることである。
【００２３】
図１において、レジスタ５８０の一端はＣＰＵ５２０に接続されたバス５１０に接続され、他端はメモリ制御回路５５０に接続されたバス５９０に接続されている。また、複数チャネルの入力部５３０のレジスタ５３３も、メモリ制御回路５５０に接続されたバス５９０に接続されている。
【００２４】
図１において、マスタ測定器５００1の各入力部５３０で計測される信号は、アンプ５３１で正規化された後、Ａ／Ｄ変換器５３２でデジタル化される。デジタル化された信号はレジスタ５３３に転送され、サンプリングタイミングとなるタイミング信号に同期してメモリ制御回路５５０に取り込まれ、データメモリ５５１に格納される。
【００２５】
マスタ測定器５００1が、各スレーブ測定器５００2〜５００nの測定データを取り込む場合について説明する。各スレーブ測定器５００2〜５００nの測定データは、ＣＰＵ５２０で制御される通信インタフェース５７０に、通信回線４００を介して取り込まれる。
【００２６】
通信インタフェース５７０に取り込まれた測定データは、バス５１０を介してレジスタ５８０に書き込まれる。レジスタ５８０に書き込まれた測定データは、各入力部５３０のレジスタ５３３に書き込まれた測定データとともに、サンプリングタイミングとなるタイミング信号に同期してメモリ制御回路５５０に取り込まれ、データメモリ５５１に格納される。
【００２７】
データメモリ５５１に格納されたデータは、表示制御回路５６０を介して、表示部５６１に波形として表示される。
【００２８】
このように構成することにより、各スレーブ測定器５００2〜５００nの測定データを、マスタ測定器５００1の各入力部５３０のＡ／Ｄ変換器５３２でデジタル化された測定データと入れ替えることができ、あたかも通常の各入力部５３０の測定データと同様に、データメモリ５５１に取り込むことができる。
【００２９】
マスタ測定器５００1には、通信回線４００を介して通信インタフェース５７０に取り込まれる測定データを一時的に格納するレジスタ５８０が設けられているので、通信回線４００を介したデータ更新が不定期であっても、マスタ測定器５００1側のサンプリング周期にあわせてデータメモリ５５１に格納することができる。
【００３０】
そして、通信回線４００を介したデータ更新が、マスタ測定器５００1側のサンプリング周期に間に合わなくても、レジスタ５５１に格納されているデータを繰り返してデータメモリ５５１に書き込むことができ、時間軸上のデータ点数調整を不要にできる。
【００３１】
これにより、従来のようなＰＣやＰＣソフトウェアを一切必要とすることなく、マスタ測定器５００1の測定データと通信回線４００を介して接続された各スレーブ測定器５００2〜５００nの測定データを、マスタ測定器５００1の表示部５６１の同一時間軸上に容易に表示できる。
【００３２】
なお、上記実施例では、マスタ測定器５００1の測定チャネルが複数の例を示しているが、複数チャネルに限るものではなく、１チャネルであってもよい。同様に、各スレーブ測定器５００2〜５００nの測定チャネルも、１チャネルであってもよいし複数チャネルであってもよい。
【００３３】
また、マスタ測定器５００1の各入力部５３０におけるＡ／Ｄ変換器５３２とレジスタ５３３間のデータ転送形式としては、シリアル転送、絶縁転送、パラレル転送など、種々の方式を用いることができる。
【００３４】
さらに、上記図１の実施例では、マスタ測定器５００1に、通信回線４００を介して通信インタフェース５７０に取り込まれる測定データを一時的に格納するための専用のレジスタ５８０を設ける例を示したが、図２に破線で示すように、マスタ測定器５００1の各入力部５３０におけるレジスタ５３３のいずれかに入力されるデータを切り替えるようにしてもよい。
【００３５】
図２において、マスタ測定器５００1の入力部５３０における最初のチャネルのＡ／Ｄ変換器５３２とレジスタ５３３の間には、Ａ／Ｄ変換器５３２の出力データと通信回線４００を介して通信インタフェース５７０に取り込まれる測定データとを切り替えるためのセレクタ５３４が接続されている。このセレクタ５３４は、バス５１０を介してＣＰＵ５２０により切替制御される。
【００３６】
図２の構成によれば、セレクタは必要になるものの、図１のような通信回線４００を介して通信インタフェース５７０に取り込まれる測定データを一時的に格納するための専用のレジスタ５８０を省略できる。
【００３７】
以上説明したように、本発明によれば、マスタ測定器が通信回線のデータ伝送速度よりも高速で測定データを取り込んでも、測定データを取りこぼすことなく正しい波形表示が行える多チャネル測定システムが実現できる。
【符号の説明】
【００３８】
５００1  マスタ測定器
５００2〜５００n  スレーブ測定器
５１０  バス
５２０  ＣＰＵ
５３０  入力部
５３１アンプ
５３２  Ａ／Ｄ変換器
５３３  レジスタ
５３４  セレクタ
５４０  タイミング信号発生回路
５５０  メモリ制御回路
５５１  データメモリ
５６０  表示制御回路
５６１  表示部
５７０  通信インタフェース
【図１】
2012127780.tif 000003
【図２】
2012127780.tif 000004
【図３】
2012127780.tif 000005
【図４】
2012127780.tif 000006
【図５】
2012127780.tif 000007